【手続補正書】
【提出日】平成19年7月30日(2007.7.30)
【手続補正１】
【補正対象書類名】明細書
【補正対象項目名】特許請求の範囲
【補正方法】変更
【補正の内容】
【特許請求の範囲】
【請求項１】  便蓋の開閉状態を検出する便蓋検知センサと、便座の開閉状態を検出する便座検知センサと、便器に着座している人体の有無を検出する着座センサを設けている衛生洗浄装置において、前記便蓋検知センサと前記便座検知センサの検知結果に応じて前記着座センサの動作を制御する複数の動作モードを備えるとともに、前記便蓋検知センサが開状態を検知し前記便座検知センサが閉状態を検知しているときだけ前記着座センサをオンする第一の動作モードと、前記便蓋検知センサが開状態を検知し前記便座検知センサが閉状態を検知しているとき及び前記便蓋検知センサと前記便座検知センサの検知結果が共に開状態を検知しているときに前記着座センサをオンする第二の動作モードを有し、どちらか一方の動作モードで動作することを特徴とする衛生洗浄装置。
【請求項２】  請求項１に記載の衛生洗浄装置において、前記便蓋検知センサと前記便座検知センサの検知結果に応じて前記着座センサの検知距離を変更する検知距離設定手段を備え、前記検知距離設定手段は、前記便蓋検知センサと前記便座検知センサの検知結果が共に開状態を検出しているときは、前記便蓋検知センサが開状態を検知し前記便座検知センサが閉状態を検知しているときよりも前記着座センサの検知感度を上げることを特徴とする衛生洗浄装置。
【請求項３】  請求項１又は２に記載の衛生洗浄装置において、前記着座センサは赤外線を発光し、その反射光の受光に基づいて便器使用者の着座の有無を検知する方法であることを特徴とする衛生洗浄装置。
【手続補正２】
【補正対象書類名】明細書
【補正対象項目名】０００８
【補正方法】変更
【補正の内容】
【０００８】
上記課題を解決するために請求項１は、便蓋の開閉状態を検出する便蓋検知センサと、便座の開閉状態を検出する便座検知センサと、便器に着座している人体の有無を検出する着座センサを設けている衛生洗浄装置において、前記便蓋検知センサと前記便座検知センサの検知結果に応じて前記着座センサの動作を制御する複数の動作モードを備えるとともに、前記便蓋検知センサが開状態を検知し前記便座検知センサが閉状態を検知しているときだけ前記着座センサをオンする第一の動作モードと、前記便蓋検知センサが開状態を検知し前記便座検知センサが閉状態を検知しているとき及び前記便蓋検知センサと前記便座検知センサの検知結果が共に開状態を検出しているときに前記着座センサをオンする第二の動作モードを有し、どちらか一方の動作モードで動作することで一般対応仕様と車椅子対応仕様など多くの品揃えを必要としないという利点がある。
【手続補正３】
【補正対象書類名】明細書
【補正対象項目名】０００９
【補正方法】変更
【補正の内容】
【０００９】
上記課題を解決するために請求項２は、前記便蓋検知センサと前記便座検知センサの検知結果に応じて前記着座センサの検知距離を変更する検知距離設定手段を備え、前記検知距離設定手段は、前記便蓋検知センサと前記便座検知センサの検知結果が共に開状態を検出しているときは、前記便蓋検知センサが開状態を検知し前記便座検知センサが閉状態を検知しているときよりも前記着座センサの検知感度を上げることを特徴とする。その結果、１つのセンサで便器前の人体と便器への着座の双方を検出することが可能となる。
【手続補正４】
【補正対象書類名】明細書
【補正対象項目名】００１０
【補正方法】変更
【補正の内容】
【００１０】
上記課題を解決するために請求項３は、請求項１又は２に記載の衛生洗浄装置において、前記着座センサは赤外線を発光し、その反射光の受光に基づいて便器使用者の着座の有無を検知する方法であることで人体検出をより確実に行え、感知距離の変更が容易という利点がある。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００５２
【補正方法】変更
【補正の内容】
【００５２】
請求項１では、一般対応仕様と車椅子対応仕様など多くの品揃えを必要としなく、状況に対応した最適でより使い勝手のよい衛生洗浄装置を提供することが可能となる。
【手続補正１７】
【補正対象書類名】明細書
【補正対象項目名】００５３
【補正方法】変更
【補正の内容】
【００５３】
請求項２では、１つのセンサで便器前の比較的離れた人体と便器への着座の双方を検出することが可能となる。
【手続補正１８】
【補正対象書類名】明細書
【補正対象項目名】００５４
【補正方法】変更
【補正の内容】
【００５４】
請求項３では、前記着座センサは赤外線を発光し、その反射光の受光に基づいて便器使用者の着座の有無を検知する方法であることで人体検出をより確実に行え、感知距離の変更は投光電流を増減することで容易に行うことが可能となる。
【手続補正１９】
【補正対象書類名】明細書
【補正対象項目名】００５５
【補正方法】削除
【補正の内容】
【手続補正２０】
【補正対象書類名】明細書
【補正対象項目名】００５６
【補正方法】削除
【補正の内容】
【手続補正２１】
【補正対象書類名】明細書
【補正対象項目名】００５７
【補正方法】削除
【補正の内容】
【手続補正２２】
【補正対象書類名】明細書
【補正対象項目名】００５８
【補正方法】削除
【補正の内容】
【手続補正２３】
【補正対象書類名】明細書
【補正対象項目名】００５９
【補正方法】削除
【補正の内容】
【手続補正２４】
【補正対象書類名】明細書
【補正対象項目名】００６０
【補正方法】削除
【補正の内容】
【手続補正２５】
【補正対象書類名】明細書
【補正対象項目名】００６１
【補正方法】削除
【補正の内容】
【手続補正２６】
【補正対象書類名】明細書
【補正対象項目名】００６２
【補正方法】削除
【補正の内容】
【手続補正２７】
【補正対象書類名】明細書
【補正対象項目名】００６３
【補正方法】削除
【補正の内容】
【手続補正２８】
【補正対象書類名】明細書
【補正対象項目名】００６４
【補正方法】削除
【補正の内容】